【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板と、
を備えたことを特徴とする暖房装置。
【請求項２】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する（例えば、前記導光板の前記『面』側（ユーザーに対向しない側）の部分に多数の反射プリズムが形成された）、透明な導光板と、
を備えたことを特徴とする暖房装置。
【請求項３】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【請求項４】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【請求項５】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【請求項６】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【請求項７】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【請求項８】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【請求項９】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【請求項１０】
赤外線発生部と、
「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する、透明な導光板と、
を備えたことを特徴とする暖房装置。
【手続補正２】
【補正対象書類名】明細書
【補正対象項目名】００１３
【補正方法】変更
【補正の内容】
【００１３】
近年は、テレビの表示画面、並びに、鏡台又は化粧台の鏡面の大面積化が進んでいる。また、近年は建物の建築技術の向上と住居やオフィスの快適性の要請から、建物の開口部に取り付けられる窓板面の広面積化が進んでいる。そのため、近年の住宅などの建物においては、「大面積化したテレビの表示画面、鏡台又は化粧台の鏡面のユーザー側の面、又は建物の窓板のユーザー側の面」が、室内のユーザーから見て縦方向（垂直方向）のスペースの相当の部分を占有してしまうために、室内の家具などの自由なレイアウト・デザインにとって大きな制約を与えてしまうという問題が発生している。
【手続補正３】
【補正対象書類名】明細書
【補正対象項目名】００１４
【補正方法】変更
【補正の内容】
【００１４】
前述のような従来技術を検討しても、近年の大型化したテレビの表示画面、鏡台又は化粧台の鏡面のユーザー側の面、又は建物の窓板のユーザー側の面のスペース（ユーザーからみて垂直方向のスペース）を、室内の暖房のために利用するという発想は、全く窺うことができない。
【手続補正４】
【補正対象書類名】明細書
【補正対象項目名】００１５
【補正方法】変更
【補正の内容】
【００１５】
本発明は、透明素材を使用することにより、表示装置の表示面、鏡台又は化粧台の鏡面、又は窓板面の本来の機能を損なうことなく、「表示装置の表示面、鏡台又は化粧台の鏡面、又は窓板面のユーザー側のスペース（ユーザーから見て縦方向のスペース）」を有効に活用して効率的な赤外線暖房を行うことができる暖房装置を提供することを目的とする。
【手続補正５】
【補正対象書類名】明細書
【補正対象項目名】００１６
【補正方法】変更
【補正の内容】
【００１６】
第１  「本願の特許請求の範囲に記載された発明」は次のとおりである。
赤外線発生部と、「鏡のユーザー側の面、窓板のユーザー側の面、及び画面表示部のユーザー側の面の少なくとも１つ」（以下『面』という）のユーザー側に前記『面』と略平行に配置された透明な導光板であって、「前記赤外線発生部からの赤外線を、暖房用の赤外線として、自らの内部に拡散し且つユーザー方向に放出または照射する機能」を有する（例えば、前記導光板の前記『面』側（ユーザーに対向しない側）の部分に多数の反射プリズムが形成された）、透明な導光板と、を備えたことを特徴とする暖房装置。
【手続補正６】
【補正対象書類名】明細書
【補正対象項目名】００２９
【補正方法】変更
【補正の内容】
【００２９】
本発明によれば、「表示装置の表示面、鏡台又は化粧台の鏡面、又は窓板面のユーザー側の面に対向又は接触する部分」から暖房用の赤外線を放出または照射することができるので、「表示装置の表示画面、鏡台あるいは化粧台の鏡面、又は窓板面のユーザー側のスペース」を、暖房（赤外線暖房）の用途のために有効活用することができる。すなわち、例えば、鏡は、ユーザーを映すためのものだから、鏡とユーザーと間のスペースに光の障害となる物体（家具など）を置くこと（鏡面のユーザー側のスペースを有効利用すること）は、従来はできなかったが、本発明によれば、前記スペースを暖房（赤外線暖房）の用途のために使用することができるようになる。
【手続補正７】
【補正対象書類名】明細書
【補正対象項目名】００３０
【補正方法】変更
【補正の内容】
【００３０】
よって、本発明によれば、透明素材を使用しているため、表示装置の表示画面、鏡台又は化粧台の鏡面、又は窓板面の本来の機能を損なうことなく、「近年になって広面積化が進んでいる表示装置の表示画面、鏡台又は化粧台の鏡面、又は窓板面のユーザー側のスペース（特にユーザーから見て縦方向のスペース）」に配置された部材から赤外線を放出または照射するようにしているので、効率的な輻射熱暖房が可能になる（一般に、赤外線暖房は、赤外線を放出する部分が広面積化すればする程、輻射熱による暖房の効率が向上する）。
【手続補正８】
【補正対象書類名】明細書
【補正対象項目名】００３１
【補正方法】変更
【補正の内容】
【００３１】
また、本発明によれば、室内のスペースの有効利用を実現でき、「室内のユーザーから見て縦方向のスペースの相当部分を、近年大型化したテレビの表示画面、鏡台あるいは化粧台の鏡面、又は窓板面のスペースが占有してしまうために、室内の家具などのレイアウト・デザインに大きな制約が生じてしまうという問題」を解決することができる。
【手続補正９】
【補正対象書類名】明細書
【補正対象項目名】００３２
【補正方法】変更
【補正の内容】
【００３２】
また、一般の住宅では、「テレビなどの表示装置の表示画面、鏡台あるいは化粧台の鏡面、又は窓板面」とユーザーとの間には、ユーザーが前記表示画面、鏡面、又は窓板面を見るための障害となるような障害物は、存在しないようにするのが通常である。また、一般の住宅では、前記表示画面、鏡面、又は窓板面は、ユーザーから良く見えるように、日常的に活動しているユーザーの正面側と所定の距離を介して対向又は接触するように配置されている。したがって、本発明によれば、前記表示画面、鏡面、又は窓板面と対向又は接触する部分を利用して暖房用の赤外線をユーザー側に供給するようにしているので、暖房用の赤外線暖房を、途中の障害物に邪魔されることなく確実に、且つ効率的に、ユーザー側に供給することができる。